(57)【特許請求の範囲】
【請求項１】
複数の集音手段と、
前記複数の集音手段により得られた音声信号を処理する処理手段とを有し、
前記処理手段は、前記集音手段により得られた音声信号を、前記集音手段により得られた音声信号のレベルに応じた増幅率であって、かつ所定の増幅率より大きくならない増幅率で増幅し、前記集音手段により得られた音声信号に含まれる風による雑音の大きさが大きいほど、前記所定の増幅率を小さくすることを特徴とする音声処理装置。
【請求項２】
前記処理手段は、前記複数の集音手段により得られた音声信号に基づいて、複数チャンネルの音声信号を生成することを特徴とする請求項１に記載の音声処理装置。
【請求項３】
前記処理手段は、前記複数の集音手段により得られた音声信号に含まれる風による雑音の大きさを検出することを特徴とする請求項１または２に記載の音声処理装置。
【請求項４】
前記処理手段は、前記複数の集音手段により得られた音声信号の差成分に基づいて風による雑音の大きさを検出することを特徴とする請求項３に記載の音声処理装置。
【請求項５】
前記処理手段は、前記複数の集音手段により得られた音声信号に含まれる風による雑音を低減することを特徴とする請求項１から４のいずれか１項に記載の音声処理装置。
【請求項６】
前記処理手段は、前記複数の集音手段により得られた音声信号に含まれる風による雑音を低減した後に、前記集音手段により得られた音声信号のレベルに応じた増幅率であって、かつ前記所定の増幅率より大きくならない増幅率で増幅することを特徴とする請求項５に記載の音声処理装置。
【請求項７】
前記処理手段は、第１の集音手段により得られた音声信号と第２の集音手段により得られた音声信号とに基づいて風による雑音の大きさを検出すると共に、第３の集音手段により得られた音声信号と第４の集音手段により得られた音声信号とにもとづいて風による雑音の大きさを検出し、
前記処理手段は、第１の集音手段により得られた音声信号と第２の集音手段により得られた音声信号とに基づいて検出された風による雑音の大きさと、第３の集音手段により得られた音声信号と第４の集音手段により得られた音声信号とに基づいて検出された風による雑音の大きさと、のうち大きい方の値に基づいて、前記所定の増幅率を変更することを特徴とする請求項１から６のいずれか１項に記載の音声処理装置。
【請求項８】
前記第１から第４の集音手段により得られた音声信号に基づいて、５チャンネルまたは６チャンネルの音声信号を生成することを特徴とする請求項７に記載の音声処理装置。
【請求項９】
複数の集音手段と、
前記複数の集音手段により得られた音声信号を処理する処理手段を有し、
前記処理手段は、前記複数の集音手段により得られた音声信号を、前記集音手段により得られた音声信号のレベルに応じた増幅率であって、かつ所定の増幅率より大きくならない増幅率で増幅し、前記複数の集音手段により得られた音声信号の差成分が大きいほど、前記所定の増幅率を小さく変更することを特徴とする音声処理装置。
【請求項１０】
前記処理手段は、前記複数の集音手段により得られた音声信号に基づいて、複数チャンネルの音声信号を生成することを特徴とする請求項９に記載の音声処理装置。
【請求項１１】
前記処理手段は、前記複数の集音手段により得られた音声信号に含まれる風による雑音を低減することを特徴とする請求項９または１０に記載の音声処理装置。
【請求項１２】
前記処理手段は、前記複数の集音手段により得られた音声信号に含まれる風による雑音を低減した後に、前記所定の増幅率より大きくならない増幅率で増幅することを特徴とする請求項１１に記載の音声処理装置。
【請求項１３】
前記処理手段は、第１の集音手段により得られた音声信号と第２の集音手段により得られた音声信号との差成分と、第３の集音手段により得られた音声信号と第４の集音手段により得られた音声信号との差成分、のうち大きい方の値に基づいて、前記所定の増幅率を変更することを特徴とする請求項９から１２のいずれか１に項記載の音声処理装置。
【請求項１４】
前記第１から第４の集音手段により得られた音声信号に基づいて、５チャンネルまたは６チャンネルの音声信号を生成することを特徴とする請求項１３に記載の音声処理装置。
【請求項１５】
前記処理手段は、前記複数チャンネルの音声信号を前記所定の増幅率より大きくならない増幅率で増幅することを特徴とする請求項２または１０に記載の音声処理装置。
【請求項１６】
前記所定の増幅率は、前記複数チャンネルの音声信号の音声レベルが所定のレベルより小さい場合の増幅率であることを特徴とする請求項２または１０に記載の音声処理装置。
【請求項１７】
前記処理手段は、前記複数チャンネルの音声信号を圧縮することを特徴とする請求項２または１０に記載の音声処理装置。
【請求項１８】
動画データを取得する取得手段と、
前記処理手段により得られた音声信号を示す音声データと共に記録媒体に記録する記録手段とを有することを特徴とする請求項１から１７のいずれか１項記載の音声処理装置。
【請求項１９】
複数の集音手段により得られた音声信号を、前記集音手段により得られた音声信号のレベルに応じた増幅率であって、かつ所定の増幅率より大きくならない増幅率で増幅する音声処理方法であって、
前記集音手段により得られた音声信号に含まれる風による雑音の大きさが大きいほど、前記所定の増幅率を小さく変更することを特徴とする音声処理方法。
【請求項２０】
複数の集音手段により得られた音声信号を、前記集音手段により得られた音声信号のレベルに応じた増幅率であって、かつ所定の増幅率より大きくならない増幅率で増幅する音声処理方法であって、
前記複数の集音手段により得られた音声信号の差成分が大きいほど、前記所定の増幅率を小さく変更することを特徴とする音声処理方法。
【請求項２１】
前記複数の集音手段により得られた音声信号に含まれる風による雑音を低減することを特徴とする請求項１９または２０に記載の音声処理方法。
【請求項２２】
前記複数の集音手段により得られた音声信号に含まれる風による雑音を低減した後に、前記集音手段により得られた音声信号のレベルに応じた増幅率であって、かつ前記所定の増幅率より大きくならない増幅率で増幅することを特徴とする請求項２１に記載の音声処理方法。
【請求項２３】
前記所定の増幅率は、前記複数の集音手段により得られた音声信号の音声レベルが所定のレベルより小さい場合の増幅率であることを特徴とする請求項１９から２２のいずれか１項に記載の音声処理方法。
【請求項２４】
複数の集音手段と、
前記複数の集音手段により得られた音声信号を処理する処理手段とを有し、
前記処理手段は、前記集音手段により得られた音声信号を、前記集音手段により得られた音声信号のレベルに応じた増幅率であって、かつ所定の増幅率より大きくならない増幅率で増幅し、前記集音手段により得られた音声信号に含まれる風による雑音の大きさが小さいほど、前記所定の増幅率を大きくすることを特徴とする音声処理装置。
【請求項２５】
前記処理手段は、前記複数の集音手段により得られた音声信号に基づいて、複数チャンネルの音声信号を生成することを特徴とする請求項２４に記載の音声処理装置。
【請求項２６】
前記処理手段は、前記複数の集音手段により得られた音声信号に含まれる風による雑音の大きさを検出することを特徴とする請求項２４または２５に記載の音声処理装置。
【請求項２７】
前記処理手段は、前記複数の集音手段により得られた音声信号の差成分に基づいて風による雑音の大きさを検出することを特徴とする請求項２６に記載の音声処理装置。
【請求項２８】
前記処理手段は、前記複数の集音手段により得られた音声信号に含まれる風による雑音を低減することを特徴とする請求項２４から２７のいずれか１項に記載の音声処理装置。
【請求項２９】
前記処理手段は、前記複数の集音手段により得られた音声信号に含まれる風による雑音を低減した後に、前記集音手段により得られた音声信号のレベルに応じた増幅率であって、かつ前記所定の増幅率より大きくならない増幅率で増幅することを特徴とする請求項２８に記載の音声処理装置。
【請求項３０】
複数の集音手段により得られた音声信号を、前記集音手段により得られた音声信号のレベルに応じた増幅率であって、かつ所定の増幅率より大きくならない増幅率で増幅する音声処理方法であって、
前記集音手段により得られた音声信号に含まれる風による雑音の大きさが小さいほど、前記所定の増幅率を大きくすることを特徴とする音声処理方法。
【請求項３１】
複数の集音手段と、
前記複数の集音手段により得られた音声信号を処理する処理手段を有し、
前記処理手段は、前記複数の集音手段により得られた音声信号を、前記集音手段により得られた音声信号のレベルに応じた増幅率であって、かつ所定の増幅率より大きくならない増幅率で増幅し、前記複数の集音手段により得られた音声信号の差成分が小さいほど、前記所定の増幅率を大きくすることを特徴とする音声処理装置。
【請求項３２】
前記処理手段は、前記複数の集音手段により得られた音声信号に基づいて、複数チャンネルの音声信号を生成することを特徴とする請求項３１に記載の音声処理装置。
【請求項３３】
前記処理手段は、前記複数の集音手段により得られた音声信号に含まれる風による雑音を低減することを特徴とする請求項３１または３２に記載の音声処理装置。
【請求項３４】
前記処理手段は、前記複数の集音手段により得られた音声信号に含まれる風による雑音を低減した後に、前記所定の増幅率より大きくならない増幅率で増幅することを特徴とする請求項３３に記載の音声処理装置。
【請求項３５】
複数の集音手段により得られた音声信号を、前記集音手段により得られた音声信号のレベルに応じた増幅率であって、かつ所定の増幅率より大きくならない増幅率で増幅する音声処理方法であって、
前記複数の集音手段により得られた音声信号の差成分が小さいほど、前記所定の増幅率を大きくすることを特徴とする音声処理方法。
【発明の詳細な説明】
【技術分野】
【０００１】
本発明は、音声信号処理装置に関し、特に、取得した音声信号に含まれる、風雑音（ウィンドウノイズ）を低減することができる装置に関する。
【背景技術】
【０００２】
従来、音声信号を処理する装置として、画像信号を記録すると共に音声信号を記録する撮像装置が知られている。これらの撮像装置では、外部の音声を集音し音声信号を生成するためのマイクロホンを備えているが、その周辺に風が当たると、ユーザにとって耳障りな、雑音（風雑音）が発生してしまうことがあった。
【０００３】
このような問題に対し、マイクから入力された音声の例えば、１００ｋＨｚ以下の低域成分等を減衰させるローパスフィルタにより、風雑音の影響が大きい低周波成分を減衰させる技術などが提案されている。例えば、特許文献１の技術のように、風雑音の低減をした後に、オートレベルコントローラ（以後、ＡＬＣ）によって、音声のレベルを調整するものが提案されている。なお、ＡＬＣは、音声のレベルが低いときには、音声信号を増幅し、音声のレベルが高いときには音声信号を減衰させるようにしている。
【先行技術文献】
【特許文献】
【０００４】
【特許文献１】特開平０５−３２８４８０号公報
【発明の概要】
【発明が解決しようとする課題】
【０００５】
しかし、実際は、風雑音の成分が減衰しきれない周波数に含まれていた場合などは、風雑音を完全になくすことは難しく、音声信号に雑音成分が残ってしまうことがあった。そのため、風雑音以外の音声のレベルが小さい場合などには、風雑音が含まれる音声信号を増幅してしまうため、かえって聞きづらくなってしまうという問題がった。
【０００６】
そこで、本発明は、風量が多いときにＡＬＣの増幅率の上限値を制限することによって、音声信号に含まれる風雑音成分を増幅してしまう可能性を低減させることができる音声信号処理装置を提供することを目的とする。なお、ここで、風量が多いときとは、音声信号に含まれる風雑音成分が多いときである。
【課題を解決するための手段】
【０００７】
本発明の音声処理装置は、かかる目的を達成するために、複数の集音手段と、前記複数の集音手段により得られた音声信号を処理する処理手段とを有し、前記処理手段は、前記集音手段により得られた音声信号を、前記集音手段により得られた音声信号のレベルに応じた増幅率であって、かつ所定の増幅率より大きくならない増幅率で増幅し、前記集音手段により得られた音声信号に含まれる風による雑音の大きさが大きいほど、前記所定の増幅率を小さくすることを特徴とする。
【発明の効果】
【０００８】
本発明によれば、風量が多いときに音声信号に含まれる風雑音成分を増幅してしまう可能性を低減することができ、ユーザとって耳障りな風雑音成分を増幅されていない音声信号を得ることができる。
【図面の簡単な説明】
【０００９】
【図１】実施例１、２の撮像装置のブロック図である。
【図２】実施例１の音声入力部１０２のブロック図である。
【図３】実施例１、２の音声信号の震幅レベルと、音声信号に対する増幅率の関係を示す図である。
【図４】実施例２の音声入力部１０２のブロック図である。
【発明を実施するための形態】
【００１０】
以下、図面を参照して本発明の実施例を詳細に説明する。
【実施例１】
【００１１】
音声信号を処理、録音することができる撮像装置について説明する。
【００１２】
図１は、実施例１の撮像装置の構成を示すブロック図である。
【００１３】
図１において、１００は撮像装置本体を示す。１０１は、被写体像を撮像し、画像信号を得る撮像部である。１０２は、撮像装置１００の周辺の音声をマイクにより集音し、アナログデジタル変換や、後述する風雑音除去処理、音声信号の振幅制御（レベル制御）等を行い、音声信号を生成する音声入力部である。１０３は、撮像部１０１により得られた画像信号や、音声入力部１０２により得られた音声信号を一時的に記憶するためのメモリである。１０４は、撮像部１０１により得られた画像信号に係る映像や、撮像装置１００の操作画面、メニュー画面等を表示部１０５に表示させる表示制御部である。１０６は、メモリ１０３に一時的に記憶された画像信号や音声信号を読み出して所定の符号化を行い、圧縮画像信号、圧縮音声信号等を生成する符号化処理部である。１０７は、記録媒体１０８に対して、符号化処理部１０６で生成された圧縮画像信号、圧縮音声信号等を記録したり、記録媒体１０８に記録された圧縮画像信号、圧縮音声信号、各種データ、プログラムを読み出す、記録再生部である。１０９は、撮像装置１００の各ブロックを制御するための制御部である。１１０は、ユーザからの指示を入力するための操作部である。１１１は、記録再生部１０７により再生された圧縮音声信号や、制御部１０９により出力される音声信号出力する音声出力部である。１１２は、音声出力部１１１により出力された音声信号を音声として出力するスピーカである。１１３は、記録再生部１０７により再生された映像や音声などを外部機器に出力するための外部出力部である。１１４は、音声信号や画像信号等の各種データや制御信号を撮像装置１００の各ブロックに供給するデータバスである。
【００１４】
ここで、本実施例の撮像装置１００の動画撮影時の動作について説明する。
【００１５】
操作部１１０の電源スイッチが操作されたことに応じて、撮像装置１００は撮影待機状態に移行する。この状態で、ユーザが操作部１１０の撮影開始ボタンを操作すると、制御部１０９は、撮像部１０１、音声入力部１０２、符号化処理部１０６、記録再生部１０７等に撮影開始信号を送信し撮影を開始させる。
【００１６】
撮影が開始すると、撮像部１０１は、撮影レンズにより取り込まれた被写体の光学像を撮像素子により電気信号に変換し画像信号を得る。そして、制御部１０９は、撮像部１０１により得られた画像信号を一時的にメモリ１０３に蓄積させ、符号化処理部１０６は、メモリに蓄積された画像信号を符号化し圧縮画像信号を生成する。
【００１７】
一方、音声入力部１０２は、周辺の音をマイクにより集音し、後述する風雑音除去処理、音声信号の振幅制御（レベル制御）等を行い、音声信号を得る。制御部１０９は、音声入力部１０２により得られた音声信号を一時的にメモリ１０３に蓄積させる。符号化処理部１０６はメモリに蓄積された音声信号を符号化し、圧縮音声信号を生成する。
【００１８】
そして、制御部１０９は、これらの圧縮画像信号、圧縮音声信号を合成し、データストリームを形成し、記録再生部１０７に出力する。記録再生部１０７は、制御部１０９の指示に基づき、ＵＤＦ、ＦＡＴ等のファイルシステム管理のもとに、データストリームを一つの動画ファイルとして記録媒体１０８に書き込んでいく。撮影中、撮像部１０１により得られた画像信号は必要に応じて、表示制御部１０４に送信され、表示部１０５に表示される。
【００１９】
ここで、ユーザが操作部１１０の撮影終了ボタンを操作すると、制御部１０９は、撮像部１０１、音声入力部１０２、符号化処理部１０６、記録再生部１０７等に撮影終了信号を送信し撮影を終了させる。撮影終了信号を受け取ると、撮像部１０１、音声入力部１０２は、画像信号、音声信号の生成をやめる。また、記録再生部は、撮影開始から終了までの圧縮画像信号、圧縮画像信号を一つのファイルとして記録媒体１０８に記録をした後に記録動作を終了する。
【００２０】
そして、制御部１０９は、撮像装置１００を撮影待機状態に再び移行させる。
【００２１】
本実施例では、このような動画撮影などを行う際に、音声入力部１０２において、音声信号を得る際に様々な処理を行うようにしている。
【００２２】
そこで、音声入力部１０２において、動画撮影中に行われる動作について、図２を用いて説明する。
【００２３】
図２において、２０１は周囲の音を集音し、電気信号に変換し、音声信号を得るマイクユニットである。２０２はマイクユニット２０１により得られた音声信号をアナログ信号からデジタル信号に変換するＡ／Ｄ変換部である。２０３は、マイクユニットにより得られた音声信号をステレオ信号に変換するステレオ変換部２０３である。２０４は、周囲に風が吹いている時などに発生する低周波数成分（例えば２０Ｈｚ〜２００Ｈｚのうちで可変な周波数以下）の風に起因する雑音（風雑音）を低減するための風雑音除去部である。２０５Ｌ／２０５Ｒは、音声信号のレベルを適正なレベルに保つためのオートレベルコントローラ（以降、ＡＬＣ）である。２０５Ｌ／２０５Ｒでは、入力された音声信号のレベルが低いときには音声信号に対する増幅率を増加させ、音声信号のレベルが高いときには増幅率を低下させるようにしている。
【００２４】
風雑音除去部２０４は、マイクユニットにより得られた２つの音声信号が、通常の音声では位相差がほとんどなく、風による雑音では特に、低域成分（例えば１００Ｈｚ以下）において位相差があることを利用して風雑音除去をしている。そのために、ステレオ変換部２０３により得られたステレオ音声Ｌｃｈ、Ｒｃｈの音声に対し、処理を行う。
【００２５】
具体的には、まず、減算部２０６により、Ｌｃｈ−Ｒｃｈの信号（差信号）を出力する。風の雑音が無い場合にはこの差信号の値が小さく、風の雑音が多い場合には、この差信号の絶対値が大きくなる。本実施例では、差信号の値に基づいて、風量検出部２０７において、風量（風の強さ、または風速、または風圧または、風による雑音の多さ、大きさ）を検出するようにしている。風量検出部２０７では、差信号の絶対値が大きければ風量が多い（風による雑音が多い、大きい）ことを示す信号を、差信号の値が小さければ風量が少ない（風による雑音が少ない、小さい）示す信号を風量情報として出力する。これは、風による雑音があると、低域成分（例えば１００Ｈｚ以下）において２つの音声信号の位相差が大きくなる性質を利用している。また、風が吹いていないような状況で、差信号の値が極端に小さければ、風量情報を出力しないようにしている。本実施例では説明のため、風量が多い（風による雑音が多い、大きい）場合、風量が少ない（風による雑音が少ない、小さい）場合、風量がない場合について説明する。しかし、当然、減算部２０６により出力される差信号の絶対値に応じて、風量情報の値を３種類以上出力するようにしても良い。
【００２６】
つづいて、減算部２０６により出力された差信号の低域成分を減衰するためのハイパスフィルタ（ＨＰＦ）２０８に入力し、差信号の低域成分の信号を減衰させた信号を出力する。このＨＰＦ２０８は、風量検出部２０７により検出された風量情報の値が大きければ、減衰させる低域成分のカットオフ周波数を例えば２００Ｈｚにし、風量情報の値が小さければカットオフ周波数を２０Ｈｚにする。または、風量情報の値が大きければ低域成分の減衰量を多くし、風量情報の値が小さければ低域成分の減衰量を少なくする。すなわち、ＨＰＦ２０８は、風量情報の値に応じて、減衰特性を変更するように構成されている。当然のことながら、ＨＰＦ２０８は、ハイパスフィルタでなく、バンドパスフィルタなどの他のフィルタで構成されても良い。
【００２７】
このようにして得られた差信号の低域成分を減衰させた信号を、加算部２０９により、Ｌｃｈ＋Ｒｃｈの信号（和信号）と加算、または減算することにより、Ｌｃｈ、Ｒｃｈの音声を得ることができる。
【００２８】
具体的には、加算部２１０で、差信号の低域成分を減衰させた信号と、和信号とを加算することにより、低域成分において、ＬｃｈとＲｃｈとで位相の異なる成分を低減したＬｃｈの音声信号が生成される。そして、減算部２１１で、和信号から、差信号の低域成分を減衰させた信号を減算することにより、低域成分において、ＬｃｈとＲｃｈとで位相の異なる成分を低減したＲｃｈの音声信号が生成される。この処理により、風に起因する雑音（風雑音）を低減したＬｃｈ、Ｒｃｈの音声信号を生成することができる。
【００２９】
ここで、さらに、ＡＬＣ２０５Ｌについて説明する。
【００３０】
本実施例のＡＬＣ２０５Ｌでは、入力された音声信号のレベルが低いときには音声信号に対する増幅率を増加させ、音声信号のレベルが高いときには増幅率を低下させるようにしている。ここでは、Ｌｃｈの音声信号について説明するが、Ｒｃｈの音声信号についても同様の処理を行う。
【００３１】
まず、風雑音の発生していない場合の動作について説明する。
【００３２】
ＡＬＣ２０５Ｌに入力されたＬｃｈの音声信号は、遅延部２１２で数ｍｓ遅延され、振幅制御部２１３で、音声信号の振幅を増幅される。振幅制御部２１３における増幅率は、ＡＬＣ２０５に入力された音声信号の振幅に応じて決定される。そのために、振幅検出部２１４により、ＡＬＣ２０５に入力された音声信号の振幅を検出し、検出された振幅の大きさに応じて、増幅率設定部２１５は、振幅調整部２１３での音声信号の増幅率を設定する。増幅率設定部２１５における、検出された音声信号の振幅レベルと、振幅調整部２１３での音声信号の増幅率の関係は図３（ａ）に示すような関係となる。
【００３３】
増幅率設定部２１５では、振幅検出部２１４により検出された音声信号の振幅が、閾値Ｘよりも大きい場合には、音声信号の増幅率を低下させるようにし、音声信号の振幅が大きければ大きいほど、増幅率を低下させる。具体的には、音声信号の増幅率を通常値Ｇｎｏｒと、それよりも小さいＧｌｉｍの間の値とする（Ｇｎｏｒ＞Ｇｌｉｍ）。また、音声信号の振幅が、閾値Ｙよりも小さい場合には、音声信号の増幅率を増加させるようにし、音声信号の振幅が小さければ小さいほど増幅率を増加させる（ただし、Ｘ＞Ｙ）。具体的には、音声信号の増幅率を通常値Ｇｎｏｒと、それよりも大きいＧｒｅｃの間の値とする（Ｇｒｅｃ＞Ｇｎｏｒ）。ただし、増幅率はＧｒｅｃよりも大きくならない増幅率とする。音声信号の振幅が、それ以外の場合には、音声信号の増幅率を通常値Ｇｎｏｒに固定する。
【００３４】
このような構成とすることにより、入力された音声信号は、振幅調整部２１３で、適正なレベルに保たれる。
【００３５】
ここまで、ＡＬＣ２０５の動作について、風雑音の発生していない場合の動作について説明してきた。次に、風雑音の発生している場合の動作について説明する。本実施例では、風量情報をうけると、増幅率設定部２１５を制御し、ＡＬＣ２０５において、音声信号が過剰に増幅されないように制御している。
【００３６】
本実施例の振幅調整部２１３は、通常、入力された音声信号のレベルが所定の値低いときには、音声信号を増幅している。しかし、風量検出部２０７により風量情報が出力された時（風量を検出した時）には、増幅率の上限を引き下げるようにしている。例えば、図３（ｂ）に示すように、風量情報の値が小であった場合には、振幅調整部２１３における増幅率の最大値をＧｒｅｃよりも小さいＧｒｅｃＡとする。すなわち、増幅率がＧｒｅｃＡより大きくならない要に変更される。さらに、風量情報の値が大であった場合には、振幅調整部２１３における増幅率の最大値をＧｒｅｃＡよりもさらに小さいＧｒｅｃＢとする。すなわち、増幅率がＧｒｅｃＢより大きくならない要に変更される。ここで、Ｇｒｅｃ＞ＧｒｅｃＡ＞ＧｒｅｃＢである。
【００３７】
このように、増幅率設定部２１５は、風量に応じて、振幅調整部２１３における増幅率の最大値をＧｒｅｃからＧｎｏｒの間になるようにしている。すなわち、風量が多いほど振幅調整部２１３における増幅率の最大値を、通常値Ｇｎｏｒに近づけていき、風量が少ないほど、Ｇｒｅｃに近づけていくように制御する。
【００３８】
このように本実施例では、風を検出した場合には、振幅調整部２１３における増幅率の最大値を低下させる。より詳しくは、風量の多い場合は、風量が少ない場合よりも振幅調整部２１３における増幅率の最大値をより大きく低下させるようにした。本実施例では、風量が小の場合、風量が大の場合について説明したが、風量情報がこれ以外の風量を示していたとしても風量の値が大きいほど増幅率の最大値を小さくするようにすればよい。
【００３９】
このような構成とすることにより、本実施例の撮像装置は、風量が多いほど音声信号の増幅率の最大値を下げることができる。そうすることで、風量が多いときに音声信号に含まれる風雑音成分を増幅してしまう可能性を低減することができ、ユーザとって耳障りな風雑音成分を増幅されていない音声信号を得ることができる。
【００４０】
また、本実施例のように、２つのマイクから入力のされる音声信号の位相の差を利用して風雑音を低減する手法の場合は、位相の差がない（同相の）音声信号が入力されると風雑音を低減できないことがある。この場合、特に、本実施例のように風量の値が大きいほど増幅率の最大値を小さくする構成とすることにより、ユーザとって耳障りな風雑音成分を増幅されていない音声信号を得ることができる。
【００４１】
本実施例では、増幅率設定部２１５を制御し、振幅調整部２１３における増幅率の最大値を低下させるようにした。しかし、例えば、振幅検出部２１４における検出レベルを風量に応じて変更することにより、振幅調整部２１３における増幅率の最大値を低下させるように制御することもできる。それは、振幅検出部２１４において検出された振幅レベルがＹ以下であった場合に、風を検知していたらを検出された振幅レベルに所定量の値を付加する。そうすると、増幅率設定部２１５では、検出された振幅レベル以上のレベルの音声信号であると検出するため、振幅調整部２１３における増幅率をＧｎｏｒに近づけるように制御することになる。また、風量が多い場合には、風の量が少ない場合に比べ、検出された振幅レベルに付加する値を増加させる。このようにすることにより、振幅調整部２１３における増幅率の最大値を低下させるように制御することもできる。
【００４２】
また、本実施例においては、２つの音声信号の差信号に基づいて風量を検出していたが、単に２つの音声信号の低域成分を比較してもよい。また、別途風圧センサ、風速計、レーザとカメラを用いる装置など空気変位を検出できるユニット用いて風量を検出しても良い。
【００４３】
また、本実施例においては、撮像装置について説明したが、本実施例の音声入力部１０２にの音声処理は、外部の音声を記録、または入力して出力するするような装置であればどのような装置であっても適用することができる。例えば、ＩＣレコーダ、携帯電話等に適用しても良い。
【実施例２】
【００４４】
実施例１においては、音声が２ｃｈの場合について説明したが、実施例２においては音声が、５．１ｃｈにおける動画撮影時の音声入力部１０２の処理について図４を用いて説明する。
【００４５】
本実施例において、実施例１と同様の働きをするブロックについては、同じ符号を付し、その説明を省略する。
【００４６】
本実施例の撮像装置の音声入力部１０２では、５．１ｃｈの音声を生成するために、マイクユニット２０１Ａ／２０１Ｂ、Ａ／Ｄ変換部２０２Ａ／２０２Ｂ、風雑音除去部２０４Ａ／２０４Ｂを備えている。そして、風雑音除去部２０４Ａ／２０４Ｂより出力される４つの音声信号を５．１ｃｈ処理部４０１に入力する。５．１ｃｈ処理部４０１では、入力された４つの音声信号に演算を加え、５．１ｃｈサウンドを生成し、ＡＬＣ２０５に入力する。
【００４７】
一方、それぞれの風雑音除去部２０４により検出された風量情報１、風量情報２の出力は、それぞれ、風量比較部４０２に入力される。風量比較部４０２では、風量情報１、風量情報２のうち大きい方の値を検出し、ＡＬＣ２０５に入力する。本実施例においても風量情報は、風量に応じて３種類以上の複数の値を出力することができる。
【００４８】
ＡＬＣ２０５においては、実施例１と同様に、入力された風量の値（風量情報１、風量情報２のうち大きい方）に応じて、増幅率設定部２１５を制御し、ＡＬＣ２０５において、音声信号が過剰に増幅されないように制御している。
【００４９】
風を検出した場合には、振幅調整部２１３における増幅率の最大値を低下させる。より詳しくは、風量の多い場合は、風量が少ない場合よりも振幅調整部２１３における増幅率の最大値をより大きく低下させる。
【００５０】
このような構成とすることにより、本実施例の撮像装置は、風量が多いほど音声信号の増幅率の最大値を下げることができる。そうすることで、風量が多いときに音声信号に含まれる風雑音成分を増幅してしまう可能性を低減することができ、ユーザとって耳障りな風雑音成分を増幅されていない音声信号を得ることができる。
【００５１】
本実施例では、増幅率設定部２１５を制御し、振幅調整部２１３における増幅率の最大値を低下させるようにした。しかし、例えば、振幅検出部２１４における検出レベルを風量に応じて変更することにより、振幅調整部２１３における増幅率の最大値を低下させるように制御することもできる。それは、振幅検出部２１４において検出された振幅レベルがＹ以下であった場合に、風を検知していたらを検出された振幅レベルに所定量の値を付加する。そうすると、増幅率設定部２１５では、検出された振幅レベル以上のレベルの音声信号であると検出するため、振幅調整部２１３における増幅率をＧｎｏｒに近づけるように制御することになる。また、風量が多い場合には、風の量が少ない場合に比べ、検出された振幅レベルに付加する値を増加させる。このようにすることにより、振幅調整部２１３における増幅率の最大値を低下させるように制御することもできる。
【００５２】
また、本実施例においては、２つの音声信号の差信号に基づいて風量を検出していたが、単に２つの音声信号の低域成分を比較してもよい。また、別途風圧センサ、風速計、レーザとカメラを用いる装置など空気変位を検出できるユニット用いて風量を検出しても良い。
【００５３】
また、本実施例においては、５．１ｃｈサウンドを生成する場合について説明したが、この構成に限られるものではなく、マルチサウンドを生成する場合でも本実施例の音声の処理については、適用可能である。
【００５４】
また、本実施例においては、風量情報１、風量情報２が、風量比較部４０２に入力される場合について説明した。しかし、風量情報については２つ以上の複数出力されてもよく、その場合は最も風量が多いことを示す風量情報をＡＬＣ２０５に入力するように構成してもよい。
【００５５】
また、本実施例においては、撮像装置について説明したが、本実施例の音声入力部１０２にの音声処理は、外部の音声を記録、または入力して出力するするような装置であればどのような装置であっても適用することができる。例えば、ＩＣレコーダ、携帯電話等に適用しても良い。
【図１】
0005645373.tif 000002
【図２】
0005645373.tif 000003
【図３】
0005645373.tif 000004
【図４】
0005645373.tif 000005